(57)【要約】【課題】  通水管の端部部分の所定位置に、係合体を簡単に配置することができる、通水管の接続端部形成具を提供する。【解決手段】  係合体２は、筒状の係合体本体２ａの内側に斜め内方に向けて延出する弾性変形可能な係止爪２ｃを有する。そこで、接続端部形成具６は、前記係合体２を、通水管１の端部部分１ａの外側に嵌めることで、継手３への接続端部４を形成する形成具である。この接続端部形成具６は、通水管１の端部部分１ａが挿入される通水管挿入口６ａと、その挿入された通水管１の端部部分１ａが突き当たる通水管突当たり部６ｂと、係合体２が挿入される係合体挿入口６ｄと、係合体２の先端が当接する係合体当接部６ｃとを備える。【選択図】  図６
2010138980.tif 000002
【特許請求の範囲】
【請求項１】
筒状の係合体本体の内側に斜め内方に向けて延出する弾性変形可能な係止爪が設けられた係合体を、通水管の端部部分の外側に、前記係止爪が前記端部部分の先端側を向く向きで前記通水管を係止するように、嵌めることで、継手への接続端部を形成する、接続端部形成具であって、
前記通水管の端部部分が挿入される通水管挿入口と、その挿入された通水管の端部部分が突き当たる通水管突当たり部と、前記係合体の先端が当接する係合体当接部とを備えてなる、通水管の接続端部形成具。
【請求項２】
前記接続端部形成具は、透明または半透明である、請求項１に記載の、通水管の接続端部形成具。
【請求項３】
前記係合体が挿入される係合体挿入口を備え、その係合体挿入口の奥端が前記係合体当接部となっている、請求項１または２に記載の、通水管の接続端部形成具。
【請求項４】
前記係合体挿入口に挿入された前記係合体を抜け出さないように保持する保持部を備える、請求項３に記載の、通水管の接続端部形成具。
【請求項５】
請求項１ないし４のいずれか１項に記載の接続端部形成具と前記係合体とからなる、通水管の接続端部形成装置。
【請求項６】
請求項３または４に記載の接続端部形成具と前記係合体とからなり、
前記係合体が、前記接続端部形成具の前記係合体挿入口に挿入されてなる、通水管の接続端部形成装置。
【請求項７】
請求項６に記載の接続端部形成装置と、前記通水管の端部部分に挿入されるインコアとからなり、
前記インコアが、前記接続端部形成具の前記通水管挿入口に挿入されてなる、通水管の接続端部形成装置体。
【請求項８】
請求項６に記載の接続端部形成装置と、前記通水管とからなり、
前記通水管の前記端部部分が、前記接続端部形成具の前記通水管挿入口に挿入されて、前記端部部分の外側に前記係合体が嵌められた状態にある、接続端部形成装置付き通水管。
【発明の詳細な説明】
【技術分野】
【０００１】
この発明は、継手への通水管の接続端部を形成する、通水管の接続端部形成具、通水管の接続端部形成装置、通水管の接続端部形成装置体、および接続端部形成装置付き通水管に関するものである。
【背景技術】
【０００２】
従来、継手に通水管を接続するにあたって、継手に設けられた係合手段に係合する係合体を備えた、通水管の接続端部が知られていた（例えば、特許文献１参照）。図１３に示されるように、この接続端部１３は、通水管１１の端部部分１１ａにおける、オーリング等の止水部材（図示せず）が密接するための端部部分前部１１ｂよりも後方の端部部分後部１１ｃの外側に、筒状の係合体１２が嵌められて形成されていた。
【０００３】
【特許文献１】特開２００７−２４７８９２号公報
【発明の開示】
【発明が解決しようとする課題】
【０００４】
しかし、前記通水管１１の接続端部１３を形成するには、通水管１１の端部部分１１ａにおける所定位置に、係合体１２を正確に配置しなければならず、その配置が非常に面倒であった。
【０００５】
この発明は、上記した従来の欠点を解決するためになされたものであり、その目的とするところは、通水管の端部部分の所定位置に、係合体を簡単に配置することができる、通水管の接続端部形成具、通水管の接続端部形成装置、通水管の接続端部形成装置体、および接続端部形成装置付き通水管を提供することにある。
【課題を解決するための手段】
【０００６】
この発明に係る通水管の接続端部形成具、通水管の接続端部形成装置、通水管の接続端部形成装置体、および接続端部形成装置付き通水管は、前記目的を達成するために、次の構成からなる。すなわち、
請求項１に記載の発明に係る通水管の接続端部形成具は、筒状の係合体本体の内側に斜め内方に向けて延出する弾性変形可能な係止爪が設けられた係合体を、通水管の端部部分の外側に、前記係止爪が前記端部部分の先端側を向く向きで前記通水管を係止するように、嵌めることで、継手への接続端部を形成する、接続端部形成具である。この接続端部形成具は、前記通水管の端部部分が挿入される通水管挿入口と、その挿入された通水管の端部部分が突き当たる通水管突当たり部と、前記係合体の先端が当接する係合体当接部とを備える。
【０００７】
この接続端部形成具によると、係合体の先端を係合体当接部に当接させた状態で、通水管の端部部分を、係合体および通水管挿入口に挿入していき、その端部部分を通水管突当たり部に突き当てる。こうして、通水管の端部部分に対する係合体の配置位置が一意的に定まり、係合体は、端部部分の所定位置に嵌められることになる。そして、この通水管の端部部分に係合体が嵌められて形成された接続端部を、継手に接続する際には、その接続端部を接続端部形成具から抜き出した後に継手に接続する。なお、通水管がインコア付きの通水管である場合に、通水管の端部部分は、そのインコアを含み、また、そのインコアの先端が突出する場合には、インコアが通水管突き当たり部に突き当たることになる。
【０００８】
また、請求項２に記載の発明に係る通水管の接続端部形成具のように、請求項１に記載の接続端部形成具において、この接続端部形成具は、透明または半透明となっていてもよい。これにより、通水管の端部部分を通水管挿入口に挿入したとき、その端部部分が通水管突当たり部に突き当たっているかどうかを目視により確認することができる。
【０００９】
また、請求項３に記載の発明に係る通水管の接続端部形成具のように、請求項１または２に記載の接続端部形成具において、前記係合体が挿入される係合体挿入口を備え、その係合体挿入口の奥端が前記係合体当接部となってもよい。
【００１０】
また、請求項４に記載の発明に係る通水管の接続端部形成具のように、請求項３に記載の接続端部形成具において、前記係合体挿入口に挿入された前記係合体を抜け出さないように保持する保持部を備えてもよい。
【００１１】
また、請求項５に記載の発明に係る通水管の接続端部形成装置は、請求項１ないし４のいずれか１項に記載の接続端部形成具と前記係合体とからなる。
【００１２】
また、請求項６に記載の発明に係る通水管の接続端部形成装置は、請求項３または４に記載の接続端部形成具と前記係合体とからなり、前記係合体が、前記接続端部形成具の前記係合体挿入口に挿入されている。
【００１３】
また、請求項７に記載の発明に係る通水管の接続端部形成装置体は、請求項６に記載の接続端部形成装置と、前記通水管の端部部分に挿入されるインコアとからなり、前記インコアが、前記接続端部形成具の前記通水管挿入口に挿入されている。
【００１４】
また、請求項８に記載の発明に係る接続端部形成装置付き通水管は、請求項６に記載の接続端部形成装置と、前記通水管とからなり、前記通水管の前記端部部分が、前記接続端部形成具の前記通水管挿入口に挿入されて、前記端部部分の外側に前記係合体が嵌められた状態にある。
【発明の効果】
【００１５】
この発明に係る通水管の接続端部形成具、通水管の接続端部形成装置、通水管の接続端部形成装置体、および接続端部形成装置付き通水管によれば、係合体の先端を係合体当接部に当接させ、係合体および通水管挿入口に挿入した通水管の端部部分を通水管突当たり部に突き当てることで、通水管の端部部分の所定位置に、係合体を簡単に配置することができる。
【発明を実施するための最良の形態】
【００１６】
以下、この発明を実施するための最良の形態を図面に基づいて説明する。
【００１７】
図１〜図８は、本発明の一実施の形態を示す。図中符号１は、配管材としての、通水管（特に、可撓性を有する合成樹脂製の通水管）であり、例えば、架橋ポリエチレンとかポリブデン等の合成樹脂管からなる。２は、前記通水管１の端部部分１ａの外側に嵌められる係合体である。３は、前記通水管１が接続される継手である。６は、前記継手３への、前記通水管１の接続端部４を形成する、接続端部形成具である。７は、通水管１の接続端部形成装置であって、前記接続端部形成具６と前記係合体２とからなる。
【００１８】
ここで、係合体２には、筒状の係合体本体２ａの内側に斜め内方に向けて延出する弾性変形可能な係止爪２ｃが設けられている。詳細には、係合体２は、前記係合体本体２ａと、その係合体本体２ａの内側に保持される抜止めリング２ｂとを備える。そして、抜止めリング２ｂに、内側に向けて延出されて通水管１を係止する前記係止爪２ｃが複数設けられる。係合体２は、この抜止めリング２ｂを複数（図示実施の形態においては、３枚）備える。さらに、係合体２は、係合体本体２ａの内側に挿入されて、係合体本体２ａの各端に位置する端部リング２ｄおよび中間に位置する中間リング２ｅ、２ｅを備える。そこで、一方の端部リング２ｄと中間リング２ｅとの間、そして、各中間リング２ｅ、２ｅ間に、抜止めリング２ｂが挟み込まれて保持される。
【００１９】
接続端部４は、継手３に通水管１を接続するために、継手３の受口３ａに差し込まれる、通水管１の端部である。この接続端部４は、通水管１の端部部分１ａと、その端部部分１ａの外側に嵌められた前記係合体２とからなる。ただし、図示実施の形態のように、通水管１がインコア５付きの通水管である場合には、通水管１の端部部分１ａは、そのインコア５を含む。また、前記係合体２は、通水管１の端部部分１ａにおける、外周面に止水部材３ｂが密着するための端部部分前部１ｂよりも後方の、端部部分後部１ｃに設けられる。
【００２０】
接続端部形成具６は、通水管１の端部部分１ａの外側に、前記係合体２を、係止爪２ｃが端部部分１ａの先端側を向く向きで通水管１を係止するように、嵌めることで、継手３への接続端部４を形成する形成具である。この接続端部形成具６は、通水管１の端部部分１ａが挿入される通水管挿入口６ａと、その挿入された通水管１の端部部分１ａが突き当たる通水管突当たり部６ｂと、係合体２の先端が当接する係合体当接部６ｃとを備える。詳細には、接続端部形成具６は、係合体２が挿入される係合体挿入口６ｄを備え、その係合体挿入口６ｄの奥端が前記係合体当接部６ｃとなっている。そして、接続端部形成具６は、係合体挿入口６ｄに挿入された係合体２を抜け出さないように保持する保持部６ｅを備える。
【００２１】
具体的には、接続端部形成具６は、例えば合成樹脂製であって、内側が前記通水管挿入口６ａとなる筒形状をしている。そして、その通水管挿入口６ａの奥端が、前記通水管突当たり部６ｂとなる。また、通水管挿入口６ａの口元側は、奥側の径小部６ｆよりも径大に形成されて、前記係合体挿入口６ｄとなっている。すなわち、通水管挿入口６ａの、前記通水管突当たり部６ｂとは反対側にある一部が、前記係合体挿入口６ｄを兼ねている。そして、係合体挿入口６ｄの奥端、すなわち係合体挿入口６ｄから通水管挿入口６ａの径小部６ｆに移る段部が、前記係合体当接部６ｃとなる。そこで、この接続端部形成具６の軸方向における通水管突当たり部６ｂと係合体当接部６ｃとの距離を、通水管１の前記端部部分前部１ｂの長さ寸法と一致するように設定する。
【００２２】
ここにおいて、係合体挿入口６ｄは、係合体２が圧入気味に挿入される内径寸法を有しており、これによって、係合体挿入口６ｄの内周面が、係合体２を抜け出さないように保持する前記保持部６ｅとなる。つまり、係合体挿入口６ｄの内周面と係合体２の外周面との摩擦により、係合体２は、係合体挿入口６ｄ内に保持される。なお、図示実施の形態においては、係合体２は、その一部が係合体挿入口６ｄから外方に突き出るようにして、係合体挿入口６ｄに挿入されるが、係合体２全体が係合体挿入口６ｄ内に収納させるようにして、その係合体挿入口６ｄに挿入されてもよい。
【００２３】
また、接続端部形成具６には、通水管挿入口６ａの奥端を通水管突当たり部６ｂとして一部残すようにして、この接続端部形成具６の軸方向に貫く貫通孔６ｇが明けられ、さらに、通水管突当たり部６ｂ部分において、貫通孔６ｇに連通するようにして側方に貫く切り欠き６ｈが明けられている。そこで、これら貫通孔６ｇと切り欠き６ｈとが、通水管１の端部部分１ａが通水管突当たり部６ｂに突き当たっているかどうかを目視により確認する確認窓６ｉとなる。
【００２４】
ところで、図４は、接続端部形成装置７において、接続端部形成具６に係合体２を組み付ける前の状態（つまり接続段部形成具６と係合体２とが分離した状態）を示す。そして、図５は、接続端部形成具６に係合体２を組み付けた状態の接続端部形成装置７（つまり係合体２が接続端部形成具６の係合体挿入口６ｄに挿入された接続端部形成装置７）と、その接続端部形成装置７に挿入される通水管１を示す。また、図６は、接続端部形成装置７に通水管１を挿入した接続端部形成装置付き通水管８を示す。すなわち、接続端部形成装置付き通水管８は、接続端部形成装置７と通水管１とからなり、通水管１の端部部分１ａが、接続端部形成装置７における接続端部形成具６の通水管挿入口６ａに挿入されて、その端部部分１ａの外側に係合体２が嵌められた状態にある。つまり、接続端部形成具６内で、継手３への接続端部４が形成されている。そして、図７は、接続端部形成装置付き通水管８において、接続端部形成具６から通水管１を抜き出した状態を示し、通水管１には、その端部部分１ａに係合体２が嵌められて、接続端部４が形成されている。さらに、図８は、通水管１の接続端部４を継手３の受口３ａに差し込んだ状態を示す。ここで、通水管１の端部部分１ａにおける、係合体２よりも前の端部部分前部１ｂには、オーリング等のパッキンからなる止水部材３ｂが密着し、継手３と通水管１との間を止水する。そして、係合体２の後方には、係止手段としての、ピン等からなる抜止め具３ｃが、通水管１の軸心に対して直交する向きで、前記受口３ａに取り付けられ、この抜止め具３ｃが係合体２（詳細には、係合体２の後端）を係止することで、通水管１を継手３に対し抜け止めする。
【００２５】
次に、以上の構成からなる接続端部形成具６の作用効果について説明する。この接続端部形成具６によると、係合体２の先端を係合体当接部６ｃに当接させた状態で、通水管１の端部部分１ａを、係合体２および通水管挿入口６ａに挿入していき、その端部部分１ａを通水管突当たり部６ｂに突き当てる（図６参照）。こうして、通水管１の端部部分１ａに対する係合体２の配置位置が一意的に定まり、係合体２は、端部部分１ａの所定位置に嵌められることになる。つまり、係合体２の先端を係合体当接部６ｃに当接させ、係合体２および通水管挿入口６ａに挿入した、通水管１の端部部分１ａを、通水管突当たり部６ｂに突き当てることで、通水管１の端部部分１ａの所定位置に、係合体２を簡単に配置することができる。そして、この通水管１の端部部分１ａに係合体２が嵌められて形成された接続端部４を、継手３に接続する際には、その接続端部４を接続端部形成具６から抜き出して継手３に接続する（図７、図８参照）。なお、前述したように、通水管１の端部部分１ａは、インコア５を含み、特に、図示実施の形態のように、インコア５の先端が突出する場合には、そのインコア５が通水管突き当たり部６ｂに突き当たることになる。
【００２６】
また、接続端部形成具６には、確認窓６ｉが設けられており、この確認窓６ｉにより、通水管１の端部部分１ａを通水管挿入口６ａに挿入したとき、その端部部分１ａが通水管突当たり部６ｂに突き当たっているかどうかを目視により確認することができる。これにより、係合体２を通水管１の端部部分１ａの所定位置に確実に嵌めることができる。
【００２７】
また、接続端部形成装置７においては、接続端部形成具６に備わる保持部６ｅによって、係合体２は、接続端部形成具６の係合体挿入口６ｄから安易に抜け出ることはなく、接続端部形成具６に係合体２が挿入されたままの状態で、保管したり運搬したりすることができ、その取扱いが容易となる。すなわち、接続端部形成具６に係合体２が挿入された接続端部形成装置７を、工場とか保管場所から施工現場に運び、施工現場では、その接続端部形成装置７に通水管１を挿入することで、簡単に通水管１に接続端部４を形成することができる。
【００２８】
また、接続端部形成装置付き通水管８においては、通水管１を、この状態で保管したり運搬したりすれば、通水管１の端部部分１ａが保護され、その端部部分１ａ（特に、止水部材３ｂが密着する端部部分前部１ｂ）を傷つけることがない。そして、施工現場では、この接続端部形成装置付き通水管８において、接続端部形成具６から接続端部４を抜き出せば、速やかに、その接続端部４を継手３の受口３ａに差し込んで、通水管１を継手３に接続することができる。
【００２９】
なお、本発明は、上述した実施の形態に限定されるわけではなく、その他種々の変更が可能である。例えば、図９および図１０に示すように、接続端部形成具６には、確認窓６ｉが設けられなくともよい。この図に示す接続端部形成具６は、例えば板材等により薄肉に形成されており、通水管挿入口６ａの奥端は閉じている。そして、この接続端部形成具６は、透明または半透明であって、内部が透けて見える。したがって、通水管１の端部部分１ａを通水管挿入口６ａに挿入したとき、その端部部分１ａが通水管突当たり部６ｂに突き当たっているかどうかを目視により確認することができ、これにより、係合体２を通水管１の端部部分１ａの所定位置に確実に嵌めることができる。また、この接続端部形成具６は、係合体挿入口６ｄが深く、係合体２の全体が係合体挿入口６ｄ内に収納されるように、その係合体２は、係合体挿入口６ｄに挿入される。そして、係合体挿入口６ｄの口元に、内方側に突出して係合体２の後端に係合する突起６ｊが設けられている。そこで、この突起６ｊが、係合体２を抜け出さないように保持する保持部６ｅとなる。また、このように、係合体２は、その全体が係合体挿入口６ｄに収納されているため、係合体２に触れることでその係合体２が通水管１に対して後方に動くようなことがなく、したがって、通水管１が挿入された接続端部形成装置付き通水管８の状態で（図１０参照）、通水管１の端部部分１ａに対する係合体２の位置を安定して保持することができる。
【００３０】
また、図１１および図１２は、接続端部形成装置７側に、予め、通水管１の端部部分１ａに挿入されるインコア５が挿入されて、接続端部形成装置体９が形成されている例を示す。すなわち、接続端部形成装置体９は、接続端部形成装置７とインコア５とからなり、インコア５が、接続端部形成装置７における接続端部形成具６の通水管挿入口６ａに挿入されている。したがって、この接続端部形成装置体９に対しては、インコア５のない通水管１が挿入される。また、この接続端部形成装置体９を構成する接続端部形成具６は、その通水管挿入口６ａの奥端に、手前側に向かって突出した、インコア保持部としての突出部６ｋが設けられる。すなわち、この突出部６ｋが、インコア５の内周面と密接して、インコア５を通水管挿入口６ａ内に保持する。その他の構成は、図９および図１０に示す接続端部形成具６と同様であり、同様の作用効果を奏する。
【００３１】
また、以上の実施の形態において、接続端部形成具６は、保持部６ｅを備えているが、この保持部６ｅは無くともよい。また、接続端部形成具６は、係合体挿入口６ｄを備えているが、この係合体挿入口６ｄは無くともよい。そして、このように接続端部形成具６に係合体挿入口６ｄが設けられない場合には、接続端部形成具６の、通水管挿入口６ａの口端を形成する端面が、係合体当接部６ｃとなる。
【図面の簡単な説明】
【００３２】
【図１】この発明の一実施の形態の、接続端部形成具の斜視図である。
【図２】同じく、図１におけるＡ−Ａ線による断面図である。
【図３】同じく、係合体の断面図である。
【図４】同じく、接続端部形成具に係合体を組み付ける前の状態を示す断面図である。
【図５】同じく、接続端部形成具に係合体を組み付けた状態の接続端部形成装置と、その接続端部形成装置に挿入される通水管を示す、断面図である。
【図６】同じく、接続端部形成装置に通水管を挿入した接続端部形成装置付き通水管を示す断面図である。
【図７】同じく、接続端部形成具から通水管を抜き出した状態を示す断面図である。
【図８】同じく、通水管の接続端部を継手の受口に差し込んだ状態を示す断面図である。
【図９】この発明の他の実施の形態の、図５相当図である。
【図１０】同じく、図６相当図である。
【図１１】この発明のさらに他の実施の形態の、図５相当図である。
【図１２】同じく、図６相当図である。
【図１３】従来の通水管の接続端部を示す一部断面図である。
【符号の説明】
【００３３】
１  通水管
１ａ  端部部分
２  係合体
２ａ  係合体本体
２ｃ  係止爪
３  継手
４  接続端部
５  インコア
６  接続端部形成具
６ａ  通水管挿入口
６ｂ  通水管突当たり部
６ｃ  係合体当接部
６ｄ  係合体挿入口
６ｅ  保持部
７  接続端部形成装置
８  接続端部形成装置付き通水管
９  接続端部形成装置体
【図１】
2010138980.tif 000003
【図２】
2010138980.tif 000004
【図３】
2010138980.tif 000005
【図４】
2010138980.tif 000006
【図５】
2010138980.tif 000007
【図６】
2010138980.tif 000008
【図７】
2010138980.tif 000009
【図８】
2010138980.tif 000010
【図９】
2010138980.tif 000011
【図１０】
2010138980.tif 000012
【図１１】
2010138980.tif 000013
【図１２】
2010138980.tif 000014
【図１３】
2010138980.tif 000015